(57)【要約】【課題】  本発明の目的は、上記従来の欠点を解消し、作業者の負担を軽減することができる携帯用グラインダのスライド式のデッドマンスイッチ構造を提供することである。【解決手段】  デッドマンスイッチは、前記操作用部材に前記バネのバネ荷重方向に対し垂直方向に移動可能な突起部材を有しており、該突起部材を押し移動させることで前記本体に設けられた係止部に掛止するように配し、該掛止部に前記付勢手段の付勢力を受けさせることにより、該突起部材を押し移動させる押し付け力でＯＮ状態を保持することができ、かつ、該突起部材を押すことを止めれば、該突起部材に設けられた該突起部材を元の位置に戻すことのできる軽微な付勢力の付勢手段により、前記本体との掛止は容易に解除され、前記スイッチがＯＦＦすることにより解決することができる。【選択図】  図８
2010036281.tif 000002
【特許請求の範囲】
【請求項１】
先端工具と、
前記先端工具を駆動する電気モータと、
前記電気モータを収容し、前記先端工具を保持可能な本体と、
前記本体に設けられ、前記電気モータへの給電を可能にするスイッチと、
を有する携帯用電動工具であって、
前記スイッチに接続されており、スライド操作することにより前記スイッチをＯＮする操作部材と、
前記操作部材をＯＦＦ側へと付勢する付勢手段と、
を有するデッドマンスイッチを有しており、
前記デッドマンスイッチは、前記操作用部材に前記バネのバネ荷重方向に対し垂直方向に移動可能な突起部材を有しており、該突起部材を押し移動させることで前記本体に設けられた係止部に掛止するように配し、該掛止部に前記付勢手段の付勢力を受けさせることにより、該突起部材を押し移動させる押し付け力でＯＮ状態を保持することができ、かつ、該突起部材を押すことを止めれば、該突起部材に設けられた該突起部材を元の位置に戻すことのできる軽微な付勢力の付勢手段により、前記本体との掛止は容易に解除され、前記スイッチがＯＦＦすることを特徴とする携帯用電動工具。
【請求項２】
前記デッドマンスイッチは、前記機構の突起部材と前記グラインダの本体に掛止する面には、前記スイッチをＯＦＦさせる付勢手段の付勢力方向に対し、直角に掛止し突起部材が外れ難くならないように、角度を設けたことを特徴とする請求項１記載の携帯用電動工具。
【発明の詳細な説明】
【技術分野】
【０００１】
本発明は、先端工具をモーターにより駆動し、所定の作業を行う携帯用電動工具に関し、特に、デッドマンスイッチを有する携帯用電動工具に関する。
【背景技術】
【０００２】
従来の携帯用電動工具の例として、携帯用グラインダのスライド式のデッドマンスイッチ機構を用いて説明する。
【０００３】
図１従来の携帯用グラインダに示すように、電源コード１がら供給された電力は本体後方に配されたスイッチ２をＯＮにすることにより、モーター３に電流を流れ、該モーター３のアマチュア３ａは回転する該アマチュア３ａ の先端に固定されたピニオン４はギヤ５に回転を伝え、ギヤ５ に固定されたスピンドル６ の先端に取付けられたホイルワッシャ７と前記スピンドル６にネジ込まれたホイルナット８により、挟持された先端工具９は回転する。前記スイッチ２のＯＮ操作は本体前方に配されたスライドノブ１０を押付力１３ｂの力で前方にスライドさせることにより、該スライドノブ１０と本体外壁１１を挟んで掛止されたスライドバー１２を介し、該スライドバー１２のもう一端に掛止されたスイッチ２をＯＮにすることができる。該スライドバー１２には、前記スイッチ２を強制的にＯＦＦさせるためのバネ１３が設けられている。作業者が前記スライドノブ１０から手を離せば、自動に該バネ１３のバネ荷重１３ａにより、前記スライドバー１２ は移動し、スイッチ２ をＯＦＦの状態にすることができる構造、いわゆるスライド式のデッドマンスイッチ機構となっている。
【０００４】
【特許文献１】実開昭５５−  ２４７４８号公報
【発明の開示】
【発明が解決しようとする課題】
【０００５】
上記した従来の携帯用グラインダのスライド式のデッドマンスイッチ構造では、図３に示すように、スイッチ２ＯＮの状態で保持する場合、前記スイッチ２を強制的にＯＦＦさせるためのバネ１３が設けられて、作業者は、自らの手で該バネ１３の大きなバネ荷重に対抗する押付力１３ａを加えながら、前記スライドノブ１０を押し続けて保持しなければならず、作業者に負担が大きいという欠点があった。
【０００６】
本発明の目的は、上記従来の欠点を解消し、作業者の負担を軽減することができる携帯用グラインダのスライド式のデッドマンスイッチ構造を提供することである。
【課題を解決するための手段】
【０００７】
上記の目的は、先端工具と、前記先端工具を駆動する電気モータと、前記電気モータを収容し、前記先端工具を保持可能な本体と、前記本体に設けられ、前記電気モータへの給電を可能にするスイッチと、有する携帯用電動工具であって、前記スイッチに接続されており、スライド操作することにより前記スイッチをＯＮする操作部材と、前記操作部材をＯＦＦ側へと付勢する付勢手段と、有するデッドマンスイッチを有しており、前記デッドマンスイッチは、前記操作用部材に前記バネのバネ荷重方向に対し垂直方向に移動可能な突起部材を有しており、該突起部材を押し移動させることで前記本体に設けられた係止部に掛止するように配し、該掛止部に前記付勢手段の付勢力を受けさせることにより、該突起部材を押し移動させる押し付け力でＯＮ状態を保持することができ、かつ、該突起部材を押すことを止めれば、該突起部材に設けられた該突起部材を元の位置に戻すことのできる軽微な付勢力の付勢手段により、前記本体との掛止は容易に解除され、前記スイッチがＯＦＦすることを特徴とすることにより解決することができる。
【発明の効果】
【０００８】
本発明の携帯用電動工具によれば、作業者の負担を軽減することができる携帯用グラインダを提供することができる。
【発明を実施するための最良の形態】
【０００９】
本発明、携帯用グラインダのスライド式のデッドマンスイッチ機構の一実施形態を図７〜図１２を用いて説明する。
【００１０】
図７に示すように、電源コード１がら供給された電力は本体後方に配されたスイッチ２をＯＮにすることにより、モーター３に電流を流れ、該モーター３のアマチュア３ａは回転する該アマチュア３ａの先端に固定されたピニオン４はギヤ５に回転を伝え、ギヤ５  に固定されたスピンドル６の先端に取付けられたホイルワッシャ７と前記スピンドル６にネジ込まれたホイルナット８により、挟持された先端工具９は回転する。図８に示すように、該スイッチ２のＯＮ操作は本体前方に配されたスライドノブ１０ａを前方にスライドさせることにより、該スライドノブ１０ａと本体外壁１１を挟んで掛止されたスライドバー１２を介し、該スライドバー１２のもう一端に掛止されたスイッチ２をＯＮにすることができる。図９に示すように、該スライドバー１２には、前記スイッチ２を強制的にＯＦＦさせるためのバネ１３が設けられている。作業者が前記スライドノブ１０ａから手を離せば、自動に該バネ１３のバネ荷重１３ａにより、前記スライドバー１２は移動し、スイッチ２をＯＦＦの状態にすることができる。図１０に示すように、前記スライドノブ１０ａには前記バネ１３の荷重方向と直角方向に貫通穴１７が設けられている。該貫通穴１７には、突き当て用の鍔１８ａを有したピン１８ が貫通されて取付けられている。該貫通穴１７には摩擦抵抗の少ないスリーブ１７ａが圧入され、内径にグリースが塗布されている。これにより、ピン１８との摩擦、摺動抵抗低減、穴１７の強度が確保されている。該ピン１８の貫通側の先端１８ｂには、バネ１５も貫通され、プッシュノブ１９に圧入されている。該バネ１５のバネ荷重１５ａにより、プッシュノブ１９と前記スライドノブ１０ａの間に隙間がある状態となっている。ピン１８の逆側の先端１８ｃは６０度に加工されている。図１１に示すように、該ピン１８はスライドノブ１０ａをバネ力１３ａに対抗する押付力１３ｂでスイッチ２がＯＮの位置にスライドさせたとき、グラインダ本体外壁１１に設けられた穴２０に挿入できる位置関係に配されている。該挿入できる位置にあるとき、前記プッシュノブ１９を押すことにより、ピン１８は穴２０に挿入される。該ピン１８が穴２０に挿入されることにより、前記スイッチ２をＯＦＦにするバネ１３のバネ荷重１３ａを、ピン１８と穴２０で受けることによりピン１８が掛止され、ピン１８が貫通している前記スライドノブ１０ａを掛止する。これにより、前記プッシュノブ１０ａを押し付ける軽微な力１５ｂ で、スイッチ２をＯＮの状態に保持しておくことができる。また、グラインダ本体外壁１１に設けられた穴２０にも、６０度に加工されたフレア状のスリーブ２０ａ圧入されており、穴２０の強度を確保している。作業者が前記プッシュノブ１９を離せば、ピン１８は容易に穴２０のスリーブ２０ａから、抜け出し、前記スイッチ２をＯＦＦにするバネ１３のバネ荷重１３ａにより、スイッチ２をＯＦＦにすることができる。
【図面の簡単な説明】
【００１１】
【図１】従来の携帯用グラインダの一実施形態を示す部分断面側面図。
【図２】従来の携帯用グラインダの一実施形態を示す部分断面上面図。
【図３】従来の携帯用グラインダの一実施形態を示す部分断面上面図。
【図４】本発明携帯用グラインダの一実施形態を示す側面部分断面図。
【図５】本発明携帯用グラインダの一実施形態を示す側面部分断面図。
【図６】本発明携帯用グラインダの一実施形態を示す側面部分断面図。
【図７】本発明携帯用グラインダの一実施形態を示す部分断面側面図。
【図８】本発明携帯用グラインダの一実施形態を示す部分断面上面図。
【図９】本発明携帯用グラインダの一実施形態を示す部分断面上面図。
【図１０】本発明携帯用グラインダの一実施形態を示す側面部分断面図。
【図１１】本発明携帯用グラインダの一実施形態を示す側面部分断面図。
【図１２】本発明携帯用グラインダの一実施形態を示す側面部分断面図。
【符号の説明】
【００１２】
１：電源コード、２：スイッチ、３：モーター、３ａ：アマチュア、４：ピニオン  ５：ギヤ、６：スピンドル、７：ホイルワッシャ、８：ホイルナット、９：先端工具、１０、１０ａ：スライドノブ、１１：本体外壁、１２：スライドバー、１３：バネ、１３ａ：バネ荷重、１３ｂ：押付力、１４：突起部材、１５：バネ、１５ａ：軽微なバネ荷重、１５ｂ：押付力、１６：掛止部  、１７：貫通穴、１７ａ：スリーブ、１８：ピン、１８ａ：突き当て用鍔、１８ｂ：貫通側先端、１８ｃ：６０度加工側先端、19：プッシュノブ、２０：穴、２０ａ：フレア状のスリーブ
【図１】
2010036281.tif 000003
【図２】
2010036281.tif 000004
【図３】
2010036281.tif 000005
【図４】
2010036281.tif 000006
【図５】
2010036281.tif 000007
【図６】
2010036281.tif 000008
【図７】
2010036281.tif 000009
【図８】
2010036281.tif 000010
【図９】
2010036281.tif 000011
【図１０】
2010036281.tif 000012
【図１１】
2010036281.tif 000013
【図１２】
2010036281.tif 000014